(57)【要約】【課題】簡単な構造で排水管への出口側からの異物の侵入を防ぐ一方、排水管内からの異物により詰まりを生じる虞を低減し得る排水管用キャップを提供する。【解決手段】排水管（オーバーフロー管）１０の出口に、該排水管１０の出口を覆うキャップ本体１３を備え、該キャップ本体１３は、排水管１０からの排水に伴って排水管１０の出口に対し開動作を行うよう構成する。キャップ本体１３は、複数の縦材１３ａを隙間を開けて配列した柵状に形成され、排水管１０の出口の上方に水平方向に沿って備えた軸１３ｂを中心に回転可能に支持される。また、キャップ本体１３に排水管１０の出口と対向する面をなす抵抗板１３ｃを備える。【選択図】図３
2018076712.tif 000002
【特許請求の範囲】
【請求項１】
排水管の出口に、該排水管の出口を覆うキャップ本体を備え、該キャップ本体は、前記排水管からの排水に伴って前記排水管の出口に対し開動作を行うよう構成されていることを特徴とする排水管用キャップ。
【請求項２】
前記キャップ本体に、前記排水管の出口と対向する面をなす抵抗板を備えたことを特徴とする請求項１に記載の排水管用キャップ。
【請求項３】
前記キャップ本体は、前記排水管の出口の上方に水平方向に沿って備えた軸を中心に回転可能に支持されることを特徴とする請求項１又は２に記載の排水管用キャップ。
【請求項４】
前記キャップ本体は、複数の縦材を隙間を開けて配列した柵状に形成されていることを特徴とする請求項１〜３のいずれか一項に記載の排水管用キャップ。
【請求項５】
前記排水管の出口に嵌合する筒状の嵌合部を形成した支持体を備え、前記キャップ本体は、前記支持体に回転可能に支持されることを特徴とする請求項１〜４のいずれか一項に記載の排水管用キャップ。
【請求項６】
前記キャップ本体は、前記排水管の出口に固定される支持体に回転可能に支持され、前記支持体には、前記キャップ本体側に向かって突出する突出部を備えたことを特徴とする請求項１〜５のいずれか一項に記載の排水管用キャップ。
【請求項７】
建築物の床面より高い位置に入口が配置され、前記床面からの水位が前記入口の高さに達した場合に排水を実行するオーバーフロー管に適用したことを特徴とする請求項１〜６のいずれか一項に記載の排水管用キャップ。
【発明の詳細な説明】
【技術分野】
【０００１】
本発明は、建築物のバルコニー等に備えられるオーバーフロー管等の排水管の端部に装着されるキャップに関する。
【背景技術】
【０００２】
一般に、家屋等の建築物の屋上やバルコニー、ベランダ等には、雨水の滞留を防止するための排水設備が備えられる。こうした排水設備は、床面の高さに備えられたドレン管や、該ドレン管よりも上方に備えられたオーバーフロー管といった排水管を備えている。
【０００３】
このような排水設備において、通常、屋上やバルコニー等に吹き込んだ雨水は随時ドレン管から排出されるが、ドレン管の途中または出入口に木の葉等が詰まっている場合や、ドレン管への雨水の流入量が極端に多い場合には、流入量がドレン管の排水量を上回ってバルコニー等の床面に雨水が溜まってしまうことがある。オーバーフロー管はこうした事態に備えて設置されるもので、その入口は、例えばバルコニーであれば、該バルコニーに面した掃き出し窓の下辺より下の高さに配置される。そして、水位がこの高さに達すると同時に雨水がオーバーフロー管から排出され、バルコニーに溜まった雨水が掃き出し窓の位置まで達しないように設計されている。
【０００４】
尚、こうした建築物の排水設備について記載した技術文献としては、例えば下記の特許文献１や２が挙げられる。
【先行技術文献】
【特許文献】
【０００５】
【特許文献１】特開２０１０−４３４１０号公報
【特許文献２】特開２００８−１２７８４６号公報
【発明の概要】
【発明が解決しようとする課題】
【０００６】
上述の如き建築物の排水設備において、オーバーフロー管は常時排水を行うものではなく、主たる排水管であるドレン管の排水能力を雨水の流入量が上回った場合にのみ排水管として機能する、いわば非常用の排水設備に位置づけられる。そして、水位がオーバーフロー管の位置まで上昇した際、もし何らかの理由で非常用の排水設備であるオーバーフロー管の排水機能が上手く働かなければ、雨水はオーバーフロー管の入口高さを越えて掃き出し窓から室内へ侵入してしまう虞がある。特に近年では、ゲリラ豪雨とも呼称される局地的な大雨が年々増加しつつあり、オーバーフロー管が排水を行うに至る局面も増えてきているため、オーバーフロー管の排水機能には従来よりも一層万全を期す必要があると言える。
【０００７】
ここで、オーバーフロー管の出口には、該出口からゴミや虫等が侵入しないよう、メッシュや格子等が備えられることがあり、このメッシュや格子に木の葉等の異物が絡まってオーバーフロー管を閉塞、または排水能力を低下させてしまう場合がある。特に、入口側からオーバーフロー管内を流れてきた異物が出口のメッシュや格子に捕捉されるケースがよく見られる。上述の如く、ゲリラ豪雨等によりオーバーフロー管による排水が行われる機会が増えると、雨水がバルコニー等の中の木の葉等を伴って何度もオーバーフロー管を通ることになり、出口に詰まりを生じる可能性は高まる。出口が詰まった状態で豪雨が発生すれば、水位がオーバーフロー管の高さを越えて上昇し、バルコニーに面した掃き出し窓等から室内に浸入してしまう危険がある。
【０００８】
無論、ドレン管やオーバーフロー管を建築物の居住者や管理者が定期的に点検し、異物を適宜取り除いていればそうした事態に至ることはないが、こういった清掃は手間のかかる面倒な作業である上、居住者にとってはそもそも清掃の対象として目につきにくい部分でもあり、どの建築物でも排水設備の状態を常に万全に保つというわけにはなかなかいかないのが現実である。
【０００９】
本発明は、斯かる実情に鑑み、簡単な構造で排水管への出口側からの異物の侵入を防ぐ一方、排水管内からの異物により詰まりを生じる虞を低減し得る排水管用キャップを提供しようとするものである。
【課題を解決するための手段】
【００１０】
本発明は、排水管の出口に、該排水管の出口を覆うキャップ本体を備え、該キャップ本体は、前記排水管からの排水に伴って前記排水管の出口に対し開動作を行うよう構成されていることを特徴とする排水管用キャップにかかるものである。
【００１１】
而して、このようにすれば、排水管から排水を行わない間はキャップ本体により排水管出口からの異物の侵入を防止する一方、排水管から排水を行う場合には、水流に伴うキャップ本体の開動作により排水管内側の異物を除去することができる。
【００１２】
本発明の排水管用キャップにおいては、前記キャップ本体に、前記排水管の出口と対向する面をなす抵抗板を備えていることが好ましく、このようにすれば、排水管からの水流が抵抗板に衝突することにより、キャップ本体の開動作を行いやすくすることができる。
【００１３】
本発明の排水管用キャップにおいて、前記キャップ本体は、前記排水管の出口の上方に水平方向に沿って備えた軸を中心に回転可能に支持されることが好ましく、このようにすれば、キャップ本体の開動作の支点を構成する軸を力点である水流から離間させることで、開動作を一層行いやすくすることができる。しかも、キャップ本体は自重により自動的に閉じるので、開状態からの復帰に特別な機構は必要ない。
【００１４】
本発明の排水管用キャップにおいて、前記キャップ本体は、複数の縦材を隙間を開けて配列した柵状に形成されていることが好ましく、このようにすれば、開口面積の大きい隙間から効率良く排水を行うことができる一方、排水管からの排水が行われない間には、前記隙間の幅よりも大きい異物の侵入を防止することができる。
【００１５】
本発明の排水管用キャップにおいては、前記排水管の出口に嵌合する筒状の嵌合部を形成した支持体を備え、前記キャップ本体は、前記支持体に回転可能に支持されることが好ましく、このようにすれば、異物を伴う排水を筒状の嵌合部を通してスムーズに出口まで導くことができる。
【００１６】
本発明の排水管用キャップにおいて、前記キャップ本体は、前記排水管の出口に固定される支持体に回転可能に支持され、前記支持体には、前記キャップ本体側に向かって突出する突出部を備えることが好ましく、このようにすれば、キャップ本体の閉状態において支持体との間の隙間を細く保ち、大きい異物の侵入を防止することができる。
【００１７】
本発明の排水管用キャップは、建築物の床面より高い位置に入口が配置され、前記床面からの水位が前記入口の高さに達した場合に排水を実行するオーバーフロー管に適用することができる。
【発明の効果】
【００１８】
本発明の排水管用キャップによれば、簡単な構造で排水管への出口側からの異物の侵入を防ぐ一方、排水管内からの異物により詰まりを生じる虞を低減し得るという優れた効果を奏し得る。
【図面の簡単な説明】
【００１９】
【図１】本発明を適用した建築物の排水設備の全体構造を概略的に示す斜視図である。
【図２】本発明を適用した建築物の排水設備の全体構造を概略的に示す側断面図である。
【図３】本発明を適用した建築物の排水設備の要部を示す図であり、本発明の排水管用キャップの形態の一例を示す斜視図である。
【図４】図３を別の視点から視た斜視図である。
【図５】図３、図４の排水管用キャップの形態を示す側面図である。
【図６】本発明の実施による排水管用キャップの形態の一例を示す分解斜視図である。
【図７】本発明の実施による排水管用キャップの各部品を図６とは別の視点から視た分解斜視図である。
【図８】本発明の排水管用キャップを構成する支持体にカバーを取り付ける様子を排水管側から視た斜視図である。
【図９】本発明の排水管用キャップの作動状態を説明する斜視図である。
【図１０】本発明の実施に用いるキャップ本体の形態の別の一例を示す斜視図であり、（Ａ）、（Ｂ）はそれぞれ別の角度から見たキャップ本体の形態を示している。
【図１１】本発明の実施による排水管用キャップの形態の別の一例を示す側面図である。
【図１２】本発明の実施による排水管用キャップの形態のさらに別の一例を示す斜視図であり、（Ａ）は閉状態、（Ｂ）は開動作中の状態をそれぞれ示す。
【発明を実施するための形態】
【００２０】
以下、本発明の実施の形態を添付図面を参照して説明する。
【００２１】
図１〜図９は本発明の実施による排水管用キャップの形態の一例を示すものである。図１、図２は本実施例の排水管用キャップが適用される建築物の排水設備の全体構造を示しており、ここではバルコニーを対象とした場合を例示している。
【００２２】
バルコニー１は、図１に示す如く建築物の掃き出し窓２に面して備えられており、掃き出し窓２の下方に位置する床面３の周囲は、掃き出し窓２を備えて床面３の一辺をなす外壁４と、それ以外の三辺をなす壁面パネル５とで取り囲まれている。床面３は、外壁４と対向する壁面パネル５の下端に沿ってドレン溝６を備えており、床面３及びドレン溝６の表面には水を通さない塗膜等により防水層が形成されている。ドレン溝６の両端には、第一の排水管としてのドレン管７の入口が開口している。
【００２３】
図２に示す如く、ドレン管７はそれぞれ上側を入口、下側を出口とし、上側はドレン溝６の底に開口し、下側はバルコニー１の床面３下に備えた雨樋８に向かって開口している。各ドレン管７の入口にはそれぞれドレンキャップ９が備えられている。ドレンキャップ９は、上に凸なドーム状の形状を有するキャップ本体９ａの下側に固定部材としての板バネ９ｂを備えてなり、該板バネ９ｂを曲げた状態でドレン管７の入口に挿入することで、板バネ９ｂの弾発力によりドレン管７に固定されるようになっている。キャップ本体９ａには、表面と裏面とを連通させる複数の穴が開口されており、該穴から雨水をドレン管７内に通過させつつ、大きい異物がドレン管７内に侵入することを防止するようになっている。
【００２４】
床面３は、ドレン溝６に向かってわずかに下り勾配をなしており、バルコニー１内に吹き込んだ雨水等がドレン溝６に流れ込みやすいようになっている。ドレン溝６に流れ込んだ雨水はドレンキャップ９を通ってドレン管７に流入し、該ドレン管７下部の出口から雨樋８に排出される。
【００２５】
外壁４と対向する壁面パネル５には、該壁面パネル５を貫通するように、該壁面パネル５と直交する水平方向に第二の排水管としてのオーバーフロー管１０が備えられている。
オーバーフロー管１０は、掃き出し窓２と向かい合う側を入口、掃き出し窓２とは反対側を出口とし、入口は床面３より高く且つ掃き出し窓２の下端より低い位置に配置されている。
【００２６】
オーバーフロー管１０の入口側には、入口側キャップ１１が嵌め込まれている。入口側キャップ１１は、キャップ本体１１ａの一側に固定部材としての板バネ１１ｂを備えてなり、上述のドレンキャップ９同様、板バネ１１ｂを曲げた状態でオーバーフロー管１０の入口に挿入することで、板バネ１１ｂの弾発力によりオーバーフロー管１０に対し固定される。キャップ本体１１ａには両面を連通させる複数の穴が開口されており、該穴から雨水をオーバーフロー管１０内に通過させつつ、大きい異物がオーバーフロー管１０内に侵入することを防止するようになっている。
【００２７】
そして、オーバーフロー管１０の出口である外側には、本実施例の要部である排水管用キャップとしての出口側キャップ１２が装着されている。この出口側キャップ１２は、図３〜図５に拡大して示す如く、オーバーフロー管１０の出口を覆うキャップ本体１３と、オーバーフロー管１０の出口端に挿し込まれてキャップ本体１３を支持する支持体１４と、キャップ本体１３及び支持体１４の外側を覆うカバー１５とを備えてなる。尚、図３及び図５の視点からは、実際にはキャップ本体１３や支持体１４はカバー１５に覆われて見えないが、ここでは説明の都合上、カバー１５を仮想線にて表示し、キャップ本体１３や支持体１４を実線で表示している。また、図３、図４共に、オーバーフロー管１０は破線にて表示している（以下の図８、図９においても、同様にオーバーフロー管１０を破線にて表示している）。
【００２８】
図６、図７に分解図にて示す如く、支持体１４は、オーバーフロー管１０の内側に嵌合する短円筒状の嵌合部１４ａ（図３〜図５参照）と、該嵌合部１４ａの周囲に張り出すフランジ１４ｂを備えてなる。嵌合部１４ａは、外径をオーバーフロー管１０の内径に合わせて設計された短い管であり、オーバーフロー管１０の出口に挿し込むことで支持体１４をオーバーフロー管１０に対し固定できるようになっている。一般的にオーバーフロー管１０として用いられる塩化ビニルパイプ等の径は、規格により数種類に限られるので、嵌合部１４ａの外径、ないしフランジ１４ｂやキャップ本体１３やカバー１５等の寸法は、オーバーフロー管１０の規格に合わせて数種類を設計すれば良い。また、ここでは嵌合部１４ａをオーバーフロー管１０の内側に挿入することで嵌合する場合を説明したが、これとは逆に、嵌合部１４ａがオーバーフロー管１０の外周に対して嵌合するように構成することもできる。
【００２９】
ここで、本実施例の場合、上述の如く、オーバーフロー管１０は垂直面をなす壁面パネル５に直交する水平方向に備えられるので（図２参照）、支持体１４は、嵌合部１４ａがオーバーフロー管１０の軸方向に沿って水平方向に配置され、且つフランジ１４ｂが壁面パネル５に沿った垂直面をなす向きに設置される。したがって、以下では便宜上、嵌合部１４ａの軸に沿った水平方向を前後方向、嵌合部１４ａの軸に直交する水平方向を左右方向、嵌合部１４ａの軸に直交する垂直方向を上下方向として説明する。
【００３０】
フランジ１４ｂは、図６、図７に示す如く全体に方形をなしており、嵌合部１４ａと反対側の面には、フランジ１４ｂにおける嵌合部１４ａの縁にあたる位置に短円筒状に突出する突出部１４ｃを備えている。また、該突出部１４ｃの上方の位置にはキャップ本体１３を回転可能に支持するための本体取付部１４ｄを備え、突出部１４ｃの下方の位置にはキャップ本体１３の下部を閉位置で支持するための突当部１４ｅを備えている。また、フランジ１４ｂ下部の左右両端には、カバー１５を固定するための係止部１４ｆを備えている。突出部１４ｃ、本体取付部１４ｄ、突当部１４ｅ及び係止部１４ｆの詳細については、キャップ本体１３やカバー１５の説明と合わせて後述する。
【００３１】
キャップ本体１３は、図６、図７に示す如く、上下方向に延びる複数の縦材１３ａを、左右方向に沿って配される円柱状の軸１３ｂにより横方向に連結してなる。個々の縦材１３ａは、細長い板状の物体であり、互いに平行な面をなして等間隔に配列した板状の縦材１３ａの上部を、各縦材１３ａに直交する向きに軸１３ｂが貫通した形に固定することで、キャップ本体１３全体として柵状の形状をなしている。縦材１３ａの下部には、複数の縦材１３ａを横断する向きに抵抗板１３ｃが配置されており、各縦材１３ａは、上部において軸１３ｂにより、下部において抵抗板１３ｃにより、それぞれ互いに連結された形になっている。
【００３２】
支持体１４のフランジ１４ｂに備えた本体取付部１４ｄは、キャップ本体１３の軸１３ｂを支持するための構成である。図６に示す如く、本体取付部１４ｄは、フランジ１４ｂと直交する垂直面をなして突出する二枚の外側取付板１４ｇと、該二枚の外側取付板１４ｇに挟まれる位置にフランジ１４ｂと直交する垂直面をなして突出する二枚の内側取付板１４ｈを備えてなる。外側取付板１４ｇ及び内側取付板１４ｈは、フランジ１４ｂにおいて、オーバーフロー管１０（図３、図４参照）の出口をなす突出部１４ｃの上方に同じ高さに形成される。外側取付板１４ｇはフランジ１４ｂから突出しつつその先端が上方に向かって屈曲する鈎状の形状をなしており、図３に示す如く、この鈎の内側、すなわちフランジ１４ｂ側にキャップ本体１３の軸１３ｂが配置される。一方、内側取付板１４ｈは、図６に示す如くフランジ１４ｂから遠い側の縁に凹部を備えており、図３に示す如く、この凹部に軸１３ｂが配置される。こうして、外側取付板１４ｇのなす鈎状形状と、内側取付板１４ｈの凹部とにより軸１３ｂを前後から挟み込むように支持し、これにより、キャップ本体１３全体が軸１３ｂを中心として支持体１４に対し回転できるようになっている。尚、本体取付部１４ｄの構成は、ここに示した例に限定されるものではなく、キャップ本体１３を回転可能に支持できればどのような構成であっても良い。
【００３３】
図３に示す如く、キャップ本体１３を構成する個々の縦材１３ａは、上下方向の長さがフランジ１４ｂの本体取付部１４ｄから突当部１４ｅに達する長さであり、軸１３ｂが本体取付部１４ｄに支持された状態で、突出部１４ｃの上方から下方にわたって配置される。また、軸１３ｂは、突出部１４ｃの左右方向の幅より長く、複数の縦材１３ａは、突出部１４ｃの左右方向全幅にわたって配置される。こうして、複数の縦材１３ａにより構成されるキャップ本体１３が、オーバーフロー管１０の出口をなす突出部１４ｃ中央の開口全体を覆うようになっている。
【００３４】
この際、図５に示す如く、突出部１４ｃと突当部１４ｅにより、突出部１４ｃとキャップ本体１３との隙間には、縦材１３ａ同士の隙間と同じ程度の幅の隙間が確保される。すなわち、フランジ１４ｂには、本体取付部１４ｄを介してキャップ本体１３が取り付けられるため、キャップ本体１３はフランジ１４ｂのなす面から本体取付部１４ｄの高さだけ離間することになる。そこで、フランジ１４ｂからキャップ本体１３の側に向かって突出部１４ｃを設けることで、キャップ本体１３とフランジ１４ｂとの間の距離を適度に狭くしている。さらに、突出部１４ｃの下方に、フランジ１４ｂのなす面からキャップ本体１３に向かって突出部１４ｃよりも大きく張り出す突当部１４ｅを備え、この突当部１４ｅに縦材１３ａの下端を突き当てるようにすることで、キャップ本体１３が閉じた状態において縦材１３ａのなす柵状の構造が突出部１４ｃの縁に対して略平行になるようにし、キャップ本体１３と突出部１４ｃとの間の隙間を一定の幅に保つようにしている。
【００３５】
カバー１５は、図３、図４に示す如く、支持体１４のフランジ１４ｂのなす面と直交する垂直面をなす二つの側面１５ａと、該二つの側面１５ａに挟まれるように上面１５ｂ及び正面１５ｃを備えている。二つの側面１５ａはフランジ１４ｂの左右方向外側に、上面１５ｂはフランジ１４ｂの上側に配される。正面１５ｃはキャップ本体１３に関してフランジ１４ｂと反対側の位置でフランジ１４ｂと平行な垂直面をなすよう配置され、上面１５ｂと正面１５ｃは滑らかな曲面をなして連続している。こうして、二つの側面１５ａと上面１５ｂとで支持体１４を三方から取り囲み、正面１５ｃとあわせて支持体１４及びこれに支持されるキャップ本体１３の全体を覆う形となっている。この際、正面１５ｃがキャップ本体１３と対峙する位置関係となるが、正面１５ｃはキャップ本体１３とは十分に離間しており、カバー１５が後述するキャップ本体１３の開動作を妨げないようになっている。
【００３６】
図４、図７に示す如く、カバー１５の内側には、二つの側面１５ａ及び上面１５ｂの縁部全体にわたって二枚の取付フランジ１５ｄ，１５ｄが突出しており、この取付フランジ１５ｄ，１５ｄの間に支持体１４のフランジ１４ｂの縁を差し込むことができるようになっている。二枚の取付フランジ１５ｄ，１５ｄのうち、正面１５ｃから遠い側の取付フランジ１５ｄには、左右の下端部の内側に切欠き１５ｅ，１５ｅが備えられており、ここに支持体１４のフランジ１４ｂに備えた係止部１４ｆ，１４ｆを引っ掛けることで、カバー１５を支持体１４に対し固定できるようになっている。
【００３７】
支持体１４の係止部１４ｆは、フランジ１４ｂの下端部の左右両側に備えられており、それぞれフランジ１４ｂの下端から上に向かって切り込むように設けられた切欠き１４ｉと、各該切欠き１４ｉの左右方向外側に設けられた鈎部１４ｊとを備えている。切欠き１４ｉを設けたことで、フランジ１４ｂの下端部における切欠き１４ｉの左右方向外側の領域は下方に向けて細く突出した形となっており、この領域は細い形状のために可撓性を有し、左右方向に僅かに屈曲する（以下、この領域を可撓部１４ｋと称する）。鈎部１４ｊは、この可撓部１４ｋの嵌合部１４ａ側の面に盛り上がるように形成されており、可撓部１４ｋの左右方向両端よりも内側の位置に上下方向に沿って備えられた基部１４ｌの上部に、左右方向外側に僅かに張り出す頭部１４ｍを備えている。頭部１４ｍの上縁は、上端から左右方向外側に向かって下り勾配をなしている。
【００３８】
フランジ１４ｂは、カバー１５の両側面１５ａ，１５ａの間に挿し込めるよう、左右方向の幅が側面１５ａ，１５ａの内面同士の距離と略等しいか、それよりもやや小さく設定される。フランジ１４ｂ下端の鈎部１４ｊは、左右の該鈎部１４ｊの基部１４ｌ，１４ｌの左右方向両端同士がなす距離が、取付フランジ１５ｄの左右方向内側の縁同士の距離と略等しいか、それよりやや小さくなるよう配置される。また、左右の鈎部１４ｊの頭部１４ｍの左右方向両端同士がなす距離は、取付フランジ１５ｄに形成した切欠き１５ｅ，１５ｅ同士の間にちょうど収まる大きさに設定される。
【００３９】
オーバーフロー管１０の出口に排水管用キャップ（出口側キャップ）１２を取り付ける際には、図８に示す如く、まずキャップ本体１３を取り付けた支持体１４の嵌合部１４ａを、オーバーフロー管１０の出口に挿入する。その後、支持体１４に備えたフランジ１４ｂが二枚の取付フランジ１５ｄ，１５ｄの間に収まるよう、カバー１５を支持体１４に対し上方からスライドさせるように被せる。この際、フランジ１４ｂの下端部における左右両端には鈎部１４ｊが嵌合部１４ａ側の面に盛り上がるように形成されているので、カバー１５を支持体１４に被せていくと、二枚の取付フランジ１５ｄのうち、オーバーフロー管１０側に位置する取付フランジ１５ｄの下端が、左右の鈎部１４ｊの頭部１４ｍに突き当たる。
【００４０】
鈎部１４ｊは可撓部１４ｋに設けられているので、カバー１５をさらに下方にスライドさせていくと、取付フランジ１５ｄの下端部によって左右の鈎部１４ｊを含む可撓部１４ｋが左右方向内側に押し縮められ、左右の鈎部１４ｊ同士の距離が縮まって、取付フランジ１５ｄのフランジ１４ｂに対するさらなる移動を許容する。そして、切欠き１５ｅが頭部１４ｍの位置に達すると、ここで左右の可撓部１４ｋは弾発力によって左右方向外側に広がり、ここで鈎部１４ｊの頭部１４ｍが左右の切欠き１５ｅに係止され、カバー１５が支持体１４に取り付けられる。このようにして、取り付けの手順は完了する。
【００４１】
あるいは、カバー１５を支持体１４に取り付けてから、嵌合部１４ａをオーバーフロー管１０の出口に挿入して固定するという手順でも良い。また、清掃等を行う場合には、作業者がカバー１５の下方から手を入れ、支持体１４の鈎部１４ｊ，１４ｊ同士を左右方向内側に押し縮めつつ、カバー１５を上方にスライドさせれば、支持体１４からカバー１５を取り外すことができる。
【００４２】
尚、支持体１４に対するカバー１５の取付構造は上述の構成に限定されない。例えば、フランジ１４ｂから鈎部を前面（オーバーフロー管１０と反対側）に突出させると共に、カバー１５における前記鈎部に対応する位置に係合穴を備え、カバー１５を支持体１４に対し水平方向に押し付けるようにすることで前記係合穴に前記鈎部を係合させ、カバー１５を支持体１４に対し固定するよう構成することもできる。この場合、カバー１５の着脱にあたり、該カバー１５を壁面パネル５（図１、図２参照）に沿ってスライドさせることがないため、カバー１５と壁面パネル５との摺動を避け、壁面パネル５の表面の摩耗や破損を回避することができる。また、ここに説明した以外にも、支持体１４に対しカバー１５を適切に固定できる限り、カバー１５の取付構造としては種々の仕組みを採用することができる。
【００４３】
キャップ本体１３は、後述する開閉動作がしやすいよう、塩化ビニル樹脂等の軽い素材にて形成される。支持体１４やカバー１５の素材は何でも良いが、支持体１４には例えばキャップ本体１３と同じ塩化ビニル樹脂、カバー１５には見栄えや耐候性を考慮してアルミ等を用いることができる。
【００４４】
次に、上記した本実施例の作動を説明する。
【００４５】
まず、多量の降雨等がない間は、オーバーフロー管１０が排水管として機能する機会はない。そして、オーバーフロー管１０からの排水が行われない間は、出入口から管内にゴミや虫等の異物が侵入することが懸念される。管内の異物はオーバーフロー管１０を閉塞ないし排水能力を低下させる虞があるので、異物の侵入はなるべく防止する必要がある。
【００４６】
ここで、図１〜図４に示す如く、オーバーフロー管１０の入口には入口側キャップ１１が、出口には出口側キャップ１２が、それぞれ備えられている。入口側キャップ１１は、上述の如くキャップ本体１１ａに複数の穴が開口した構成であり、大きい異物がオーバーフロー管１０の入口から侵入しないようになっている。オーバーフロー管１０の出口を覆うキャップ本体１３は、上述の如く縦材１３ａを複数配列した柵状に形成され、該縦材１３ａ同士の隙間は十分に小さく設計されているので、ここから大きい異物がオーバーフロー管１０内に侵入する虞はない。また、支持体１４のフランジ１４ｂに備えた突出部１４ｃと突当部１４ｅにより、キャップ本体１３の閉状態においてフランジ１４ｂとの間の隙間は細く一定に保たれている。したがって、この隙間からも大きい異物が侵入することはない。こうして、入口側キャップ１１と出口側キャップ１２により、オーバーフロー管１０内への異物の侵入は出入口ともに防止されるようになっている。
【００４７】
また、キャップ本体１３や支持体１４はカバー１５により覆われている。このカバー１５は、キャップ本体１３や支持体１４を隠してバルコニー１（図１参照）の美観を損ねることを防いでいるほか、例えばビニル袋のような異物がキャップ本体１３を覆ってオーバーフロー管１０の出口を閉塞してしまうような事態も防止している。
【００４８】
次に、降雨等によりバルコニー１内に水が入り込み、これを排水する場合を説明する。上述の如く、バルコニー１には常用の排水設備としてドレン溝６、及び第一の排水管であるドレン管７が備えられており（図１、図２参照）、バルコニー１に吹き込んだ雨水等は床面３の傾斜に沿ってドレン溝６に流れた後、ドレン管７から雨樋８に排出される。しかし、ドレン管７の内部に異物が溜まっていたり、ドレンキャップ９にゴミが張り付くなどしてドレン管７による排水が上手く行われない場合や、豪雨等でバルコニー１への雨水の流入量が極端に多い場合には、ドレン管７からの排水量を流入量が上回って床面３に雨水が滞留していくことがある。
【００４９】
滞留した雨水の水位が第二の排水管であるオーバーフロー管１０の入口の高さに達すると、該オーバーフロー管１０からの排水が開始される。この際、オーバーフロー管１０に流入する雨水には木の葉等の異物が混じっている場合があるが、オーバーフロー管１０の入口は入口側キャップ１１が備えられているので、キャップ本体１１ａに開口した穴に対しある程度以上大きい異物はオーバーフロー管１０に侵入しない。こうして、入口側キャップ１１により異物の侵入を防ぎつつ、キャップ本体１１ａの穴から雨水が流入していく。
【００５０】
オーバーフロー管１０の出口は、出口側キャップ１２のキャップ本体１３によって覆われているが、このキャップ本体１３は支持体１４に対し回転可能に支持されており、オーバーフロー管１０から排出される水流が出口に到達すると、図９に示す如く、水流によりキャップ本体１３がオーバーフロー管１０の出口に対して持ち上がる開動作を行う（尚、図９ではカバー１５の図示を省略している）。このとき、キャップ本体１３の下部にはオーバーフロー管１０の出口と対向する面をなすように抵抗板１３ｃを備えており、この抵抗板１３ｃにオーバーフロー管１０内からの水流が衝突することで、キャップ本体１３の開動作が行われやすくなっている。キャップ本体１３の開きやすさは、抵抗板１３ｃの面積や縦材１３ａに対する取り付け位置を種々変更することにより調節できる。
【００５１】
水流は、持ち上がったキャップ本体１３と、支持体１４の突出部１４ｃとの間の隙間から排出される。また、水流の速さや水量によっては、キャップ本体１３を構成する縦材１３ａ同士の隙間からも排出されていく。
【００５２】
この際、オーバーフロー管１０の入口には上述の如く入口側キャップ１１が被せられて異物の侵入を防いでいるが（図１、図２参照）、キャップ本体１１ａの開口よりも小さな異物は雨水と共にオーバーフロー管１０内に侵入してしまうことがある。しかし、図９の如くキャップ本体１３が開動作し、支持体１４の間が広がることにより、仮にオーバーフロー管１０内に異物が侵入しても、該異物は水流と共に除去される。
【００５３】
オーバーフロー管１０による排水の結果、管内に流れ込む水がなくなり、排水が終了すると、キャップ本体１３は自重により閉じ、図３に示す状態に復帰する。
【００５４】
ところで、上述の如きキャップ本体１３の開閉は、オーバーフロー管１０を通過する排水の量が十分に多く、水流に勢いがあれば問題なく行われるが、排水の量が少なく流速も遅い場合には、キャップ本体１３の開動作がなされにくいことが考えられる。この間に入口側キャップ１１を通過した小さい異物がオーバーフロー管１０の出口側に到達すれば、ここで支持体１４やキャップ本体１３の内側に張り付き、以降徐々に異物が堆積していくといった事態もまれに起こる可能性がある。しかし、こういった場合、まず異物が堆積するのはキャップ本体１３や支持体１４の下部からである。そして、キャップ本体１３の抵抗板１３ｃが備えられていない上部には、複数の縦材１３ａ同士の間に隙間が形成されている。よって、仮にキャップ本体１３裏側の下部に異物が堆積しても、キャップ本体１３上部からは排水が可能である。水の通る隙間はキャップ本体１３と支持体１４の突出部１４ｃとの間にも確保されており、ここからも雨水は排出される。
【００５５】
また、異物の堆積によりオーバーフロー管１０の排水能力が低下すれば、オーバーフロー管１０内には水が滞留しやすくなり、その圧力がキャップ本体１３の抵抗板１３ｃに加わることになる。この水圧がある程度以上に高まると、やはり図９に示す如くキャップ本体１３の開動作が行われ、異物はこの際にキャップ本体１３と支持体１４の間から水流と共に除去される。
【００５６】
このように、本実施例の排水管用キャップ１２は、水流に伴うキャップ本体１３の開動作により、異物を堆積しないよう随時除去すると共に、異物が堆積した場合でも自動的に排出できるようになっている。この際、キャップ本体１３は、上部に備えた水平方向の軸１３ｂを中心に回転することで開閉するので、開動作が行われやすい構成となっている。すなわち、キャップ本体１３の開動作の力点はオーバーフロー管１０から流れる排水との接触位置であるが、この排水は、主としてキャップ本体１３の下部を通過しようとする。したがって、開動作の支点となる軸１３ｂを力点である水流からなるべく離間する上方に配置することで、梃子の原理により、小さな水流あるいは水圧でもキャップ本体１３を動作しやすくすることができるのである。したがって、例えばキャップ本体の回転軸を垂直方向に沿って備え、該回転軸を中心にキャップ本体が観音開きの形で開閉するよう構成した場合等と比較して、異物が特に除去されやすい。
【００５７】
しかも、排水の終了後は、キャップ本体１３は自重により自動的に閉じるので、開状態からの復帰に特別な機構は必要ない。
【００５８】
また、キャップ本体１３は、複数の縦材１３ａを軸１３ｂにより連結した柵状の形状としており、これらの縦材１３ａ同士の隙間として開口が形成されている。このため、例えばキャップ本体１３をメッシュ状の形状に構成した場合と比較して、隙間の幅に対する各開口の面積が大きい。よって、仮に開動作が上手く行われずに異物が堆積した場合でも、開口面積の大きい隙間から効率良く排水を行うことができる。一方、降雨等がなく、オーバーフロー管１０からの排水が行われない間には、縦材１３ａ同士の隙間の幅よりも大きい異物の侵入を防止することができる。
【００５９】
加えて、このような構造とした場合、キャップ本体１３の回転軸をなす軸１３ｂや、開動作を行いやすくするための抵抗板１３ｃが、縦材１３ａ同士を連結する構造材をも兼ねるので、柵状の形状を形成するための構造が簡単である。
【００６０】
また、本実施例の排水管用キャップ１２では、円筒形の嵌合部１４ａをオーバーフロー管１０に挿し込むことで固定する方式を採っているが、これも異物の堆積を防止するための構成である。すなわち、例えばドレンキャップ９や入口側キャップ１１の如く（図１、図２参照）、排水管用キャップ１２を板バネによりオーバーフロー管１０に固定する構成とすることもできるが、その場合、板バネがオーバーフロー管１０の内部を横切る配置となるため、前記板バネに異物が絡まり、詰まりの原因となりやすい。本実施例の如き円筒形の嵌合部１４ａであれば、そういった事態を招くことなく、異物を伴う排水を異物ごとスムーズに出口まで導くことが可能である。
【００６１】
図１０（Ａ）、（Ｂ）はキャップ本体１３の形態の別の例を示している。ここに示したキャップ本体１３では、抵抗板１３ｃの配置が上記図６や図７等で説明したキャップ本体１３と異なっている。すなわち、図６、図７に示したキャップ本体１３では、抵抗板１３ｃの取付位置が縦材１３ａの下部に設定されているが、図１０に示すキャップ本体１３では、縦材１３ａの上部を覆うように抵抗板１３ｃが備えられている。
【００６２】
こうした配置は、異物の堆積による開動作の不具合を回避するための構成である。すなわち、図６、図７に示す如きキャップ本体１３の場合、上述の如くオーバーフロー管１０（図３参照）の下部を流れてくる排水に抵抗板１３ｃが接触するので、水量が少なくても開動作が行われやすいという利点があるが、その反面、縦材１３ａの中程に抵抗板１３ｃの上縁が位置しているため、排水の水位がここまで上昇した場合、この位置で縦材１３ａ同士の隙間に異物が挟まってしまう場合がある。そして、キャップ本体１３の開く向きにはカバー１５の正面１５ｃが位置しているので、キャップ本体１３における異物の堆積がカバー１５の正面１５ｃ側に及んだ場合には、キャップ本体１３とカバー１５の間に異物が挟まることで、キャップ本体１３の開動作に支障を来す可能性が想定される。
【００６３】
その点、図１０に示す如く、抵抗板１３ｃを縦材１３ａの上部を覆うように配置すれば、抵抗板１３ｃの上縁に異物が引っ掛かるような事態は生じないので、キャップ本体１３が開動作を行う際に異物が障害となる虞は少ない。
【００６４】
また、このように抵抗板１３ｃが縦材１３ａの上部に位置している場合、オーバーフロー管１０（図３参照）を流れる排水の水位が抵抗板１３ｃの下縁に達するまでは水流が抵抗板１３ｃと衝突しないので、キャップ本体１３の開動作が行われる頻度は図３に示す如きキャップ本体１３と比較すれば低くなる。しかしながら、水位が低くキャップ本体１３が閉じている間は、抵抗板１３ｃに覆われていない縦材１３ａの下部の隙間から水が流れ出るので、排水に支障を生じる虞は少ない。また、キャップ本体１３が閉じている間に縦材１３ａの下部に異物が堆積したとしても、水位が上昇して抵抗板１３ｃの位置に達すれば、水流が抵抗板１３ｃに衝突することにより開動作が行われて異物は除去される。
【００６５】
図１１、図１２は、本発明の排水管用キャップの形態として考えられるその他の例を示している。例えば、上述の例では水平方向に設置したオーバーフロー管１０に対して本発明の排水管用キャップ１２を取り付ける場合を説明したが、実際にオーバーフロー管１０が設置される向きは必ずしも水平とは限らない。排水管としての機能の関係上、オーバーフロー管１０は、例えば出口側が入口側より下方に位置するように斜めに備えられることも考えられる。その場合、例えば図１１に示す如く、支持体１４の突出部１４ｃを下側ほど長く突出させて端面を垂直面に沿って配し、且つ突当部１４ｅも突出部１４ｃの形状に合わせて大きく突出させれば、キャップ本体１３を垂直方向に沿った配置とすることができる（尚、図１１ではカバー１５の図示を省略している。以下に説明する図１２でも同様である）。
【００６６】
図１２は、キャップ本体１３を観音開き式に構成した場合を例示している。ここに示した排水管用キャップ１２では、支持体１４からオーバーフロー管１０と反対側に突出した突出部１４ｃの端面が、上向きの角度をなすよう斜めに形成されており、この端面の上下方向に沿って左右に備えた軸１３ｂを中心に二枚の蓋体１３ｄが回転することで、キャップ本体１３が観音開きの形で開閉するようになっている。
【００６７】
すなわち、オーバーフロー管１０に水が流れ込まない間は、図１２（Ａ）に示す如く、二枚の蓋体１３ｄは斜めの面をなす突出部１４ｃの端面に沿った閉状態にあるが、オーバーフロー管１０から排水が流れ出してくると、図１２（Ｂ）に示す如く、蓋体１３ｄはオーバーフロー管１０側からの水流を受けて開動作を行い、蓋体１３ｄの内側に異物が堆積していたとしてもこの際に排出される。排水の終了後は、蓋体１３ｄの自重により、図１２（Ａ）に示す閉状態に自動的に復帰する。尚、図１２では縦材や抵抗板の図示を省略しているが、上記図６、図７や図１０に示したキャップ本体１３と同様、左右の蓋体１３ｄを縦材や抵抗板により構成することもできる。
【００６８】
以上のように、上記本実施例においては、排水管（オーバーフロー管）１０の出口に、該排水管１０の出口を覆うキャップ本体１３を備え、該キャップ本体１３は、排水管１０からの排水に伴って排水管１０の出口に対し開動作を行うよう構成しているので、排水管１０から排水を行わない間はキャップ本体１３により排水管１０出口からの異物の侵入を防止する一方、排水管１０から排水を行う場合には、水流に伴うキャップ本体１３の開動作により排水管１０内側の異物を除去することができる。
【００６９】
また、本実施例においては、キャップ本体１３に、排水管１０の出口と対向する面をなす抵抗板１３ｃを備えることができ、このようにすれば、排水管１０からの水流が抵抗板１３ｃに衝突することにより、キャップ本体１３の開動作を行いやすくすることができる。
【００７０】
また、本実施例において、キャップ本体１３は、排水管１０の出口の上方に水平方向に沿って備えた軸１３ｂを中心に回転可能に支持された構成とすることができ、このようにすれば、キャップ本体１３の開動作の支点を構成する軸１３ｂを力点である水流から離間させることで、開動作を一層行いやすくすることができる。しかも、キャップ本体１３は自重により自動的に閉じるので、開状態からの復帰に特別な機構は必要ない。
【００７１】
また、本実施例において、キャップ本体１３は、複数の縦材１３ａを隙間を開けて配列した柵状に形成することができ、このようにすれば、開口面積の大きい隙間から効率良く排水を行うことができる一方、排水管１０からの排水が行われない間には、前記隙間の幅よりも大きい異物の侵入を防止することができる。
【００７２】
また、本実施例においては、排水管１０の出口に嵌合する筒状の嵌合部１４ａを形成した支持体１４を備え、キャップ本体１３は、支持体１４に回転可能に支持されているので、異物を伴う排水を筒状の嵌合部１４ａを通してスムーズに出口まで導くことができる。
【００７３】
また、本実施例において、キャップ本体１３は、排水管１０の出口に固定される支持体１４に回転可能に支持され、支持体１４には、キャップ本体１３側に向かって突出する突出部１４ｃを備えているので、キャップ本体１３の閉状態において支持体１４との間の隙間を細く保ち、大きい異物の侵入を防止することができる。
【００７４】
したがって、上記本実施例によれば、簡単な構造で排水管への出口側からの異物の侵入を防ぐ一方、排水管内からの異物により詰まりを生じる虞を低減し得る。
【００７５】
尚、本発明の排水管用キャップは、上述の実施例にのみ限定されるものではなく、例えば上述の如きオーバーフロー管に限らずドレン管にも適用することができ、さらには建築物の排水設備以外にも種々の排水設備の排水管に対して適用し得ること等、本発明の要旨を逸脱しない範囲内において種々変更を加え得ることは勿論である。
【符号の説明】
【００７６】
３    床面
１０    排水管（オーバーフロー管）
１２    排水管用キャップ（出口側キャップ）
１３    キャップ本体
１３ａ  縦材
１３ｃ  抵抗板
１４    支持体
１４ａ  嵌合部
１４ｃ  突出部
【図１】
2018076712.tif 000003
【図２】
2018076712.tif 000004
【図３】
2018076712.tif 000005
【図４】
2018076712.tif 000006
【図５】
2018076712.tif 000007
【図６】
2018076712.tif 000008
【図７】
2018076712.tif 000009
【図８】
2018076712.tif 000010
【図９】
2018076712.tif 000011
【図１０】
2018076712.tif 000012
【図１１】
2018076712.tif 000013
【図１２】
2018076712.tif 000014